(57)【特許請求の範囲】
【請求項１】
太陽光のクリーンエネルギーから発電する発電機能部と、発電機能部から発電された電力に基づいて液体を移送する移送機能部とを備えたことを特徴とするとともに、
移送元の液体の量を測定するセンサー部を移送機能部の外部又は内部に設けたことを特徴とする極めて単純な構造で、無電源の場所で且つ危険又は災害の場所に貯留した溜水を常時、人間の立会や監視がなくても太陽が出ている間に連続排水することができる持ち運び可能な携帯型の液体移送システム。
【請求項２】
発電機能部、移送機能部及びセンサー部を制御する制御部を備えたことを特徴とする請求項１記載の液体移送システム。
【発明の詳細な説明】
【技術分野】
【０００１】
本願発明は、雨水などの液体を移送するための液体移送装置に関するものである。
【背景技術】
【０００２】
特許文献１には、災害時や停電時や火気厳禁の場所にあっても安全でかつだれでも容易に消火、排水、給水、揚水等の送水作業を行うことのできる無電源給排水装置が開示されている。具体的には、図３に示すように、液化された二酸化炭素を貯留するガスボンベ２と、ガスボンベから減圧弁５を通じて送出される高圧の炭酸ガスのみを動力源とし、一方に配設した第１の吸引ホース８で吸引した水を他方に配設した排出ホース９から排出する気体ポンプ７と、ガスボンベから気体ポンプへ送出される高圧の炭酸ガスが通る管体１２を気体ポンプが吸引する水の一部若しくは全部が流通する容器１３内に配設して熱交換する熱交換器１１とから構成された無電源給排水装置１である。
【先行技術文献】
【特許文献】
【０００３】
【特許文献１】特開平１１−５１０００号公報
【発明の概要】
【発明が解決しようとする課題】
【０００４】
確かに、特許文献１に開示されている無電源給排水装置１は、商用電源の使用できない災害時や停電時や火気厳禁の場所にあっても安全でかつだれでも容易に消火、排水、給水、揚水等の送水作業を行うことのできる点で優れた装置であるかもしれない。
しかしながら、液化された二酸化炭素を貯留するガスボンベ２から減圧弁５を通じて送出される高圧の炭酸ガスのみを動力源としているために、ガスボンベ２内の二酸化炭素が無くなれば作動させることができず、動力源の部分に問題を抱えている。
【０００５】
これに対して、本願発明は、商用電源の無い無電源場所において使用できるとともに、省エネルギー・低コストのエコ対応の流体移送システムの提供を目的として、本願発明を完成させるに至った。
【課題を解決するための手段】
【０００６】
上記目的を達成するために、本願発明の第１の発明は、太陽光・太陽熱・地熱・風力・波力などのクリーンエネルギーから発電する発電機能部と、発電機能部から発電された電力に基づいて液体を移送する移送機能部とを備えたことを特徴とする液体移送システムである。
第２の発明は、液体の量を測定するセンサー部を移送機能部の外部又は内部に設けたことを特徴とする同液体移送システムである。
第３の発明は、発電機能部、移送機能部及びセンサー部を制御する制御部を備えたことを特徴とする同液体移送システムである。
【発明の効果】
【０００７】
本願発明によれば、以下のような効果を有する。
（１）発電機能部を備えることで、商用電源の無い無電源場所において使用できる。
（２）その発電機能部が、太陽光・太陽熱・地熱・風力・波力などのクリーンエネルギーから発電するものとしたことで、温暖化ガスを排出せず、省エネルギー・低コストのエコ対応を実現できる。
（３）移送機能部を備えることで、液体を目的とする場所に移送できる。
（４）液体の量を測定するセンサー部を移送機能部の外部又は内部に設けたことで、液体の量によって移送機能部のＯＮ・ＯＦＦを確実に切り替えることができる。
（５）発電機能部、移送機能部及びセンサー部を制御する制御部を備えたことで、液体移送システムの運転を確実に制御できる。
【図面の簡単な説明】
【０００８】
【図１】本願発明に係る液体移送システムの構成を示す説明図。
【図２】本願発明に係る液体移送システムの実施形態を示す説明図。
【図３】従来技術（特許文献１）を説明する説明図。
【発明を実施するための形態】
【０００９】
本願発明を図面に基づいて詳しく説明する。
図１は、本願発明に係る液体移送システムの構成を示す説明図である。
図１に示すように、液体移送システム１０は、太陽光・太陽熱・地熱・風力・波力などのクリーンエネルギーから発電する発電機能部２０と、発電機能部２０から発電された電力に基づいて液体を移送する移送機能部３０と、移送機能部３０の外部又は内部に設けた液体の量を測定するセンサー部４０と、発電機能部２０・移送機能部３０・センサー部４０を制御する制御部５０を備えるものである。ここで、センサー部４０及び制御部５０は必ずしも必要ではなく、最小限必要なのは、発電機能部２０と移送機能部３０である。
【００１０】
図２は、本願発明に係る液体移送システムの実施形態を示す説明図である。
図２に示す実施形態（本実施形態）は、移送元Ａに貯留している水６０を移送先Ｂへ移送するために、液体移送システム１０を利用したものである。
本実施形態では、発電機能部２０として太陽光から発電するソーラーパネル２１を使用した。ソーラーパネル２１を使用することで、温暖化ガスを発生させずにクリーンに発電できるとともに、太陽光の利用により低コストで半永久的な発電を実現できる。
【００１１】
また、移送機能部３０として排水ポンプ３１を使用した。基本的に、ソーラーパネル２１によって発電した電力で排水ポンプ３１を稼動させ、移送元Ａに貯留している水６０を移送先Ｂへ移送するので、極めて単純な構造でエネルギー効率の良い省エネルギーを実現できる。
なお、センサー部４０として水位センサー４１を使用し、制御部５０として制御盤５１を使用した。
【産業上の利用可能性】
【００１２】
上記「液体移送システム」は、以下のような場合に特に有効に利用できる。
（１）無電源の場所、例えば、鉄塔敷地内等に「液体移送システム」を利用することで、洞道部・マンホール部・ハンドボール部・ケーブルピット部等に貯留した溜水を常時、太陽が出ている間に連続排水することができる。これによって、地中送電ケーブルの保守や緊急の点検時に溜水を排水することなく、安全・確実に作業が行える。
（２）危険な場所、例えば、屋根や屋上等の人間が簡単に立ち入ることの出来ない場所に「液体移送システム」を利用することで、人間の立会や監視等がなくても太陽が出ている間に自動的かつ半永久的に液体を移送できる。これによって、危険を回避して雨水の利用などが行える。
（３）災害の場所、例えば、水害等があった場所に「液体移送システム」を利用することで、人間の立会や監視等がなくても太陽が出ている間に自動的かつ半永久的に液体を移送できる。これによって、水害等の災害からの復旧を早急に進めることができる。
（４）持ち運び可能な携帯型の「液体移送システム」を利用することで、キャンプや川遊びの場所において池や川の水を安全・簡易に移送できる。
（５）その他
【符号の説明】
【００１３】
１０  液体移送システム
２０  発電機能部
２１  ソーラーパネル
３０  移送機能部
３１  排水ポンプ
４０  センサー部
４１  水位センサー
５０  制御部
５１  制御盤
６０  水
Ａ    移送元
Ｂ    移送先
【図１】
0005907327.tif 000002
【図２】
0005907327.tif 000003
【図３】
0005907327.tif 000004